【手続補正書】
【提出日】平成17年9月26日(2005.9.26)
【手続補正１】
【補正対象書類名】明細書
【補正対象項目名】発明の名称
【補正方法】変更
【補正の内容】
【発明の名称】放射線画像撮像装置及び平面検出器
【手続補正２】
【補正対象書類名】明細書
【補正対象項目名】特許請求の範囲
【補正方法】変更
【補正の内容】
【特許請求の範囲】
【請求項１】  被検体に向けて放射線を曝射する放射線発生手段と、
前記被検体を透過した放射線を、マトリクス状に配列した画素により検出して出力する平面検出器と、
前記放射線の曝射中に、前記平面検出器の撮像領域内の少なくとも一部の画素のデータを繰り返し読み出す読み出し手段と、
前記読み出し手段により読み出された画素データを画素毎に加算して記憶する加算記憶手段と、
前記読み出し手段により読み出された画素データに基づいて入射放射線量を求める演算手段と、
前記入射放射線量と閾値とを比較する比較手段と、
前記放射線発生手段を制御するものであり、前記比較手段により入射放射線量が閾値を超えたと判定された時に前記放射線の曝射を停止するように前記放射線発生手段を制御する制御手段と、
前記放射線の曝射停止後に、前記平面検出器の撮像領域内の全画素のデータを読み出す手段と、
前記撮像領域内の全画素のデータと前記加算記憶手段に記億されている値を加算して画像データを生成する手段とを備えることを特徴とする放射線画像撮像装置。
【請求項２】  被検体に向けて放射線を曝射する放射線発生手段と、
前記被検体を透過した放射線を、マトリクス状に配列した画素により検出して出力する平面検出器と、
前記放射線の曝射中に、前記平面検出器の撮像領域内の少なくとも一部の画素のデータを繰り返し読み出す読み出し手段と、
前記読み出し手段により読み出された画素データを画素毎に加算して記憶する加算記憶手段と、
１つの画素のデータが読み出される毎に前記続み出し手段により続み出された画素データの合計を求め、この合計が閾値を超えた時に前記放射線の曝射を停止するように前記放射線発生手段を制御する手段と、
前記放射線の曝射停止後に、前記平面検出器の撮像領域内の全画素のデータを読み出す手段と、
前記撮像領域内の全画素のデータと前記加算記憶手段に記億されている値に基づいて画像データを生成する手段とを備えることを特徴とする放射線画像撮像装置。
【請求項３】  被検体に向けて放射線を曝射する放射線発生手段と、
前記被検体を透過した放射線を、マトリクス状に配列した画素により検出して出力する平面検出器と、
前記放射線の曝射中に、前記平面検出器の撮像領域内の少なくとも一部の画素のデータを繰り返し読み出す読み出し手段と、
前記読み出し手段により読み出された画素データを画素毎に加算して記憶する加算記憶手段と、
１つの画素のデータが読み出される毎に、前記加算記憶手段に記憶されている各画素の画素データにこの画素データの読み出し時刻からの経過時間に対応する補正を施し、この補正した値を加算して入射放射線量を求める演算手段と、
前記入射放射線量と閾値とを比較する比較手段と、
前記放射線発生手段を制御するものであり、前記比較手段により入射放射線量が閾値を超えたと判定された時に前記放射線の曝射を停止するように前記放射線発生手段を制御する制御手段と、
前記放射線の曝射停止後に、前記平面検出器の撮像領域内の全画素のデータを読み出す手段と、
前記撮像領域内の全画素のデータと前記加算記憶手段に記億されている値に基づいて画像データを生成する手段とを備えることを特徴とする放射線画像撮像装置。
【請求項４】  被検体に向けて放射線を曝射する放射線発生手段と、
前記被検体を透過した放射線を、マトリクス状に配列した画素により検出して出力する平面検出器と、
前記放射線の曝射中に、前記平面検出器の撮像領域内の少なくとも一部の画素のデータを繰り返し読み出す読み出し手段と、
前記読み出し手段により読み出された画素データを画素毎に加算して記憶する加算記憶手段と、
前記読み出し手段により読み出された画素データに基づいて入射放射線量を求める演算手段と、
１つの画素のデータが読み出される毎に、画素データの読み出し状態に応じて、異なる閾値を発生する閾値発生手段と、
前記入射放射線量と閾値とを比較する比較手段と、
前記放射線発生手段を制御するものであり、前記比較手段により入射放射線量が閾値を超えたと判定された時に前記放射線の曝射を停止するように前記放射線発生手段を制御する制御手段と、
前記放射線の曝射停止後に、前記平面検出器の撮像領域内の全画素のデータを読み出す手段と、
前記撮像領域内の全画素のデータと前記加算記憶手段に記億されている値に基づいて画像データを生成する手段とを備えることを特徴とする放射線画像撮像装置。
【請求項５】  マトリクス状に配列した画素により放射線を検出する平面検出器において、
放射線の曝射中に前記平面検出器の撮像領域内の少なくとも一部の画素から繰り返し検出データを読み出す読み出し手段と、
前記読み出し手段により読み出された検出データを放射線の曝射制御のために使用するデータとして送信する送信手段と備え、
前記読み出し手段は、前記放射線の曝射停止後に、前記撮像領域内の全画素のデータを読み出し、
前記送信手段は、前記撮像領域内の全画素のデータと前記加算記憶手段に記億されている値を加算したデータを画像生成のためのデータとして送信することを特徴とする平面検出器。
【手続補正３】
【補正対象書類名】明細書
【補正対象項目名】００１７
【補正方法】変更
【補正の内容】
【００１７】
【課題を解決するための手段】
上記目的を達成するために、第１の発明の特徴は、被検体に向けて放射線を曝射する放射線発生手段と、前記被検体を透過した放射線を、マトリクス状に配列した画素により検出して出力する平面検出器と、前記放射線の曝射中に、前記平面検出器の撮像領域内の少なくとも一部の画素のデータを繰り返し読み出す読み出し手段と、前記読み出し手段により読み出された画素データを画素毎に加算して記憶する加算記憶手段と、前記読み出し手段により読み出された画素データに基づいて入射放射線量を求める演算手段と、前記入射放射線量と閾値とを比較する比較手段と、前記放射線発生手段を制御するものであり、前記比較手段により入射放射線量が閾値を超えたと判定された時に前記放射線の曝射を停止するように前記放射線発生手段を制御する制御手段と、前記放射線の曝射停止後に、前記平面検出器の撮像領域内の全画素のデータを読み出す手段と、前記撮像領域内の全画素のデータと前記加算記憶手段に記億されている値を加算して画像データを生成する手段とを備えることにある。
【手続補正４】
【補正対象書類名】明細書
【補正対象項目名】００１９
【補正方法】変更
【補正の内容】
【００１９】
第２の発明の特徴は、被検体に向けて放射線を曝射する放射線発生手段と、前記被検体を透過した放射線を、マトリクス状に配列した画素により検出して出力する平面検出器と、前記放射線の曝射中に、前記平面検出器の撮像領域内の少なくとも一部の画素のデータを繰り返し読み出す読み出し手段と、前記読み出し手段により読み出された画素データを画素毎に加算して記憶する加算記憶手段と、１つの画素のデータが読み出される毎に前記続み出し手段により続み出された画素データの合計を求め、この合計が閾値を超えた時に前記放射線の曝射を停止するように前記放射線発生手段を制御する手段と、前記放射線の曝射停止後に、前記平面検出器の撮像領域内の全画素のデータを読み出す手段と、前記撮像領域内の全画素のデータと前記加算記憶手段に記億されている値に基づいて画像データを生成する手段とを備えることにある。
【手続補正５】
【補正対象書類名】明細書
【補正対象項目名】００２１
【補正方法】変更
【補正の内容】
【００２１】
第３の発明の特徴は、被検体に向けて放射線を曝射する放射線発生手段と、前記被検体を透過した放射線を、マトリクス状に配列した画素により検出して出力する平面検出器と、前記放射線の曝射中に、前記平面検出器の撮像領域内の少なくとも一部の画素のデータを繰り返し読み出す読み出し手段と、前記読み出し手段により読み出された画素データを画素毎に加算して記憶する加算記憶手段と、１つの画素のデータが読み出される毎に、前記加算記憶手段に記憶されている各画素の画素データにこの画素データの読み出し時刻からの経過時間に対応する補正を施し、この補正した値を加算して入射放射線量を求める演算手段と、前記入射放射線量と閾値とを比較する比較手段と、前記放射線発生手段を制御するものであり、前記比較手段により入射放射線量が閾値を超えたと判定された時に前記放射線の曝射を停止するように前記放射線発生手段を制御する制御手段と、前記放射線の曝射停止後に、前記平面検出器の撮像領域内の全画素のデータを読み出す手段と、前記撮像領域内の全画素のデータと前記加算記憶手段に記億されている値に基づいて画像データを生成する手段とを備えることにある。
【手続補正６】
【補正対象書類名】明細書
【補正対象項目名】００２３
【補正方法】変更
【補正の内容】
【００２３】
第４の発明の特徴は、被検体に向けて放射線を曝射する放射線発生手段と、前記被検体を透過した放射線を、マトリクス状に配列した画素により検出して出力する平面検出器と、前記放射線の曝射中に、前記平面検出器の撮像領域内の少なくとも一部の画素のデータを繰り返し読み出す読み出し手段と、前記読み出し手段により読み出された画素データを画素毎に加算して記憶する加算記憶手段と、前記読み出し手段により読み出された画素データに基づいて入射放射線量を求める演算手段と、１つの画素のデータが読み出される毎に、画素データの読み出し状態に応じて、異なる閾値を発生する閾値発生手段と、前記入射放射線量と閾値とを比較する比較手段と、前記放射線発生手段を制御するものであり、前記比較手段により入射放射線量が閾値を超えたと判定された時に前記放射線の曝射を停止するように前記放射線発生手段を制御する制御手段と、前記放射線の曝射停止後に、前記平面検出器の撮像領域内の全画素のデータを読み出す手段と、前記撮像領域内の全画素のデータと前記加算記憶手段に記億されている値に基づいて画像データを生成する手段とを備えることにある。
【手続補正７】
【補正対象書類名】明細書
【補正対象項目名】００２５
【補正方法】変更
【補正の内容】
【００２５】
第５の発明の特徴は、マトリクス状に配列した画素により放射線を検出する平面検出器において、放射線の曝射中に前記平面検出器の撮像領域内の少なくとも一部の画素から繰り返し検出データを読み出す読み出し手段と、前記読み出し手段により読み出された検出データを放射線の曝射制御のために使用するデータとして送信する送信手段と備え、前記読み出し手段は、前記放射線の曝射停止後に、前記撮像領域内の全画素のデータを読み出し、前記送信手段は、前記撮像領域内の全画素のデータと前記加算記憶手段に記億されている値を加算したデータを画像生成のためのデータとして送信することを特徴とするものである。
【手続補正８】
【補正対象書類名】明細書
【補正対象項目名】００２６
【補正方法】削除
【補正の内容】
【手続補正９】
【補正対象書類名】明細書
【補正対象項目名】００２７
【補正方法】削除
【補正の内容】
【手続補正１０】
【補正対象書類名】明細書
【補正対象項目名】００６２
【補正方法】変更
【補正の内容】
【００６２】
【発明の効果】
以上説明したように本発明によれば、Ｘ線の曝射量の制御を精度良く行うことができ、画質の良い画像を得ることができる。